(57)【特許請求の範囲】
【請求項１】
建物開口部に設置される枠体と、枠体に対して開閉自在に支持される子障子と、枠体に対して開閉自在に支持され、召合框の開放面側に子障子側に延設される召合わせ片を有する親障子とを備え、
親障子及び子障子の召合せ框の上端にはそれぞれ合成樹脂製の小口キャップが装着されており、親障子の小口キャップの戸先框側端部に子障子の小口キャップに当接するヒレ片が設けられている
ことを特徴とする両開き建具。
【発明の詳細な説明】
【技術分野】
【０００１】
建物開口部に設けられる枠体の左右両縦枠に対して、親障子及び子障子がそれぞれ開閉自在に設けられる両開きの建具に関する。
【背景技術】
【０００２】
従来、建物開口部に設置される建具として、両開きの建具が知られており、上枠と障子の上辺との気密は、上枠室外側下方に取り付けた気密材を障子の上框に当接もしくは近接させることによって行われていた。
【先行技術文献】
【特許文献】
【０００３】
【特許文献１】特開２００７−１６２４２９号公報
【発明の概要】
【発明が解決しようとする課題】
【０００４】
上枠に設けた気密材に対して当接する当接部は、障子の上框の上辺においては、上框の一部を当接片として延設させるように押し出し成形により比較的容易に形成することができる。しかし、左右の縦框に上下框の端部を突き当てて框組される障子においては、召合せ框の上端に当接片を設けることが製造上難しく、召合せ部において枠体と障子との間に見込み方向の隙間が生じてしまい、気密性が低下する原因となっていた。
【０００５】
本発明は、上記の事情を鑑みたものであり、両開き建具において、召合せ框の上面と上枠との間に隙間が生じることを防止して、気密性を向上させることを目的とする。
【課題を解決するための手段】
【０００６】
本発明は、建物開口部に設置される枠体と、枠体に対して開閉自在に支持される子障子と、枠体に対して開閉自在に支持され、召合框の開放面側に子障子側に延設される召合わせ片を有する親障子とを備え、親障子及び子障子の召合せ框の上端にはそれぞれ合成樹脂製の小口キャップが装着されており、親障子の小口キャップの戸先框側端部に子障子に当接するヒレ片が設けられていることを特徴とする。
【発明の効果】
【０００７】
本発明によれば、両開き建具において、両扉の召合せ部の上部に隙間が生じることを防止できる。
【図面の簡単な説明】
【０００８】
【図１】本発明の実施形態に係る両開き窓の外観図である。
【図２】本発明の実施形態に係る両開き窓の縦断面図である。
【図３】本発明の実施形態に係る両開き窓の召合せ部の図であり、（ａ）は召合せ框の横断面図、（ｂ）は召合せ部の上端おける室外からの拡大正面図である。
【図４】本発明の実施形態に係る両開き窓において親障子の召合せ框上端に装着される小口キャップの図であって、（ａ）は上方から見た斜視図であり、（ｂ）は下方から見た斜視図である。
【図５】本発明の実施形態に係る両開き窓において親障子の召合せ框上端に装着される小口キャップの図であって、（ａ）は小口キャップ単体の平面図であり、（ｂ）は召合せ框上端に装着したときの平面図である。
【図６】本発明の実施形態に係る両開き窓において子障子の召合せ框上端に装着される小口キャップの図であって、（ａ）は上方から見た斜視図であり、（ｂ）は下方から見た斜視図である。
【図７】本発明の実施形態に係る両開き窓において子障子の召合せ框上端に装着される小口キャップの図であって、（ａ）は小口キャップ単体の平面図であり、（ｂ）は召合せ框上端に装着したときの平面図である。
【図８】本発明の実施形態に係る両開き窓において召合せ框上端に小口キャップを装着した状態の縦断面図である。
【図９】本発明の実施形態に係る両開き窓において、親障子及び子障子の召合せ框の上端にそれぞれ小口キャップを装着した状態の召合せ部の図であり、（ａ）は平面図であり、（ｂ）は室外側から見た召合せ部の上方部位の正面図である。
【発明を実施するための形態】
【０００９】
（建具の全体構成）
本発明の建具を、建物開口部に取り付けられる両開き窓の実施形態を用いて説明する。
本発明の実施形態に係る両開き窓は、図１に示すように、上枠１１，下枠１２及び左、右縦枠１３，１４を四周に組んでなり、建物開口部に配置される枠体１に対して、上框２１，下框２２及び左、右縦框２３，２４を四周に組んで内周にガラス等パネルを装着してなる親障子２、及び、上框３１，下框３２及び左、右縦框３３，３４を四周に組んで内周にガラス等パネルを装着してなる子障子３を、親障子２の左縦框２３と子障子３の右縦框３４を召合せ框として、両開き自在に支持して形成されている。
【００１０】
図２に示すように、枠体１を構成する上枠１１は、建物開口部に固定され枠体１の内周面を形成する上枠本体部１１１と、上枠本体部１１１の室内側下面より垂下される室内側垂下壁部１１２と、上枠本体部１１１の室外側下面より垂下される気密材取付壁部１１３とからなり、室内側垂下壁部１１２の室外側面下端には気密材ｓ１が取り付けられているとともに、気密材取付壁部１１３の下端には下方に向けて気密材ｓ２が取り付けられている。
下枠１２は、建物開口部に固定され枠体１の内周面を形成するとともに室外側下方に中空の水切り部を有する下枠本体部１２１と、下枠本体部１２１の室内側に立ち上がる中空構造の立上壁１２２とから構成されている。
【００１１】
親障子２及び子障子３を構成する上框２１，３１は、親障子２、子障子３の上方外周面を形成する中空部からなる上框本体部２１１，３１１と、上框本体部２１１，３１１の外周面の室外側端より上方に延設される上框室外壁部２１２，３１２とを有しており、親障子２、子障子３を構成する下框２２，３２は、親障子２、子障子３の下方外周面を形成する中空部からなる下框本体部２２１，３２１と、下框本体部２２１，３２１の外周面の室外側端より下方に垂下される下框外壁部２２２，３２２とから構成されている。
図３（ａ）、（ｂ）に示すように、親障子２の召合せ框である右縦框２４は、中空略矩形の右縦框本体部２４１と、右縦框本体部２４１の室外側内周面より延設される右縦框室外壁部２４２と、右縦框本体部２４１の開放面側である室外側の外周部より子障子３側に向けて延設される召合せ片部２４３とを有しており、その内周面の上端部分には上框２１の端面が右縦框室外壁部２４２に飲み込まれるように突き合わされて、図示しないビス等固定手段により連結されている。
【００１２】
一方、子障子３の召合せ框である左縦框３３は、中空略矩形の左縦框本体部３３１と、左縦框本体部３３１の室外側内周面より延設される左縦框室外壁部３３２と、左縦框本体部３３１の反開放面側である室内側の外周部より親障子２側に向けて突出する召合せ受部３３３とを有しており、その内周面の上端部分には上框３１の端面が左縦框室外壁部３３２に飲み込まれるように突き合わされて、図示しないビス等固定手段により連結されている
そして、図２に示すように、枠体１の上枠１１の室内側垂下壁部１１２に取り付けた気密材ｓ１に対して、上框２１，３１の室内側面上端を当接するとともに、上枠１１の気密材取付壁部１１３の下端に取り付けた気密材ｓ２を、親障子２、子障子３の上框２１，３１の上框室外壁部２１２，３１２に当接、もしくは近接させることにより、枠体１と親障子２、子障子３との上辺部分における気密を行っている。
【００１３】
（建具の召合せ部上部の構成）
このように、本実施形態の両開き窓においては、上枠１１と親障子２、子障子３の上框２１、３１との間の気密を、上枠１１に取り付けた気密材ｓ２と上框２１，３１の上框室外壁部２１２，３１２とによって行っているが、親障子２、子障子３は左、右縦框２３，２４，３３，３４の内周面に対して上、下框２１，２２，３１，３２の端部を突き当てて連結することにより框組していることから、召合せ框２４，３３の上端を上框本体部２１１，３１１の上面と位置合わせすることとなり、召合せ框２４，３３の上方に上框室外壁部２１２，３１２に連続する室外壁部等を設けることは製造上難しかった。
そのため、図３（ｂ）に示すように、召合せ框２４，３３の上方位置において室内外に連通する空間Ｓが生じていた。
そこで、本実施形態の両開き窓においては、召合せ框２４，３３の上端に小口キャップを装着し、小口キャップに上框室外壁部２１２，３１２に連続する当接壁部を形成することにより、召合せ框２４，２３の上部における気密を行っている。
以下、小口キャップによる召合せ框２４，３３の上部の気密構造について説明する。
【００１４】
（小口キャップの構成）
本実施形態の両開き窓の親障子２に召合せ框２４の上端小口に装着される親障子小口キャップ５は、合成樹脂等からなり、図４（ａ）、（ｂ）に示すように、召合せ框２４の上端を覆うキャップ部５１と、キャップ部５１の下方の面に設けられ、召合せ框２４の小口内に挿入される挿入部５２と、キャップ部５１の上方の面に立設される当接壁部５３とから構成されている。
なお、親障子小口キャップ５の説明においては、図５（ａ）に示すように親障子小口キャップ５の紙面左側を吊元側、紙面右側を戸先側、開放する側（紙面上方）を室外側、反開放側（紙面下方）を室内側、紙面垂直方向の手前を上側（上方）、奥を下側（下方）として、親障子小口キャップ５が召合せ框２４の上端小口に装着された状態を元にして説明する。
【００１５】
キャップ部５１は、召合せ框２４の上端小口面と略同様の形状をなす板状部材であり、少なくとも召合せ框２４を構成する形材の端部を覆うとともに、その内方部分には開口部５１ａがあけられている。
挿入部５２は、装着される召合せ框２４の小口に合わせて、キャップ部５１の形状よりも小さい範囲において形成されているが、召合せ框２４の小口に装着した際に、容易に脱落しないだけの強度をもって装着できれば特にその形状や寸法は特定されるものではない。
【００１６】
当接壁部５３は、キャップ部５１の上方の面に設けられ、召合せ框２４の見付け幅よりも大きい左右幅寸法を有して、キャップ部５１の見付け方向左右側より突出して設けられているとともに、親障子小口キャップ５を召合せ框２４に装着した際に上框２１の上框室外壁部２１２の上端部と当接壁部５３の上端とが略同一高さとなる高さ寸法を備えている。
当接壁部５３のキャップ部５１よりも戸先側に突出する部位は、見込み方向に肉厚に形成されて戸先側当接壁部５３１として構成され、戸先側当接壁部５３１の戸先側先端には、当接壁部５３の高さ方向全長よりヒレ片５３１ａが戸先側に向けて設けられている。
一方、当接壁部５３のキャップ部５１よりも反戸先側に突出する部位は、見込み方向に薄肉に形成されて吊元側当接壁部５３２として構成されている。
また、召合せ框２４の召合せ片部２４３の上端には、召合せ片部２４３の上端面を覆う召合せ片部カバー８が装着されている。
したがって、図５（ｂ）に示すように、親障子小口キャップ５及び召合せ片部カバー８が召合せ框２４の上端小口に装着されることで、召合せ框２４を形成する形材の端面を覆うことができ、掃除やメンテナンスの際に形材の切りっぱなし状態の端面（小口）に手や指等が触れるなどしておこる怪我を防ぐことができる。
【００１７】
本実施形態の両開き窓の子障子３の召合せ框３４の上端小口に装着される子障子小口キャップ６は、合成樹脂等からなり、図６に示すように、全体として矩形状に形成されている。なお、以下の説明において、図７に示すように子障子小口キャップ６の紙面左側を戸先側、紙面右側を吊元側、開放する側（紙面上方）を室内側、反開放側（紙面下方）を室内側、紙面垂直方向の手前を上側（上方）、奥を下側（下方）と、子障子小口キャップ６が召合せ框３４の上端小口に装着された状態を元にして説明する。
【００１８】
全体として矩形状をなす子障子小口キャップ６の上方の面は、図６、７に示すように、召合せ框３３の上端を覆うキャップ部６１として構成されており、キャップ部６１の下面から下方に向かって召合せ框３３の小口に装着するための装着部６２が形成されている。
キャップ部６１は、召合せ框３３の上端小口面と略同様の形状をなし、少なくとも召合せ框３３を構成する形材の端部を覆うとともに、その内方部分には開口部６１ａが形成されており、召合せ框３３の内部と外部とを連通している。
【００１９】
装着部６２は、キャップ部６１の形状よりも一回り小さく、召合せ框３３の断面形状に対応した断面形状を有する挿入部６２１と、挿入部６２１の戸先側に垂下される板状の挟持片部６２２とを備えている。
挿入部６２１は、挿入部６２１の外周壁を構成する挿入壁部６２１ａと、挿入部６２１を貫通するように形成され、図示しないフランス落しなどのロッド棒が上下動自在に貫通する挿通筒部６２１ｂと、挿通筒部６２１ｂの外周面から挿入壁部６２１ａの内周面に向かって放射状に伸びる複数の連結壁部６２１ｃ，６２１ｃからなり、挿通筒部６２１ｂはキャップ部６１を貫通して上方より突出して上方筒状部６１２を構成している。
【００２０】
キャップ部６１の室外側辺から上方に向かって当接壁部６３が立設されており、当接壁部６３は、子障子小口キャップ６を召合せ框３３に装着した際に上框３１の上框室外壁部３１２の上端部と当接壁部６３の上端とが略同一高さとなる高さ寸法を備えている。当接壁部６３の吊元側に突出する部位は見込み方向に薄肉に形成されて吊元側当接壁部６３２として構成されている。
また、キャップ部６１の室内側で戸先側には、召合せ框３３の召合せ受部３４３の上端を覆う召合せ受部カバー６４が設けられている。
【００２１】
したがって、図７（ｂ）に示すように、挿入部６２１の戸先側側面と挟持片部６２２とにより、召合せ框３３の戸先側の一辺３３ａを挟持して、子障子小口キャップ６を召合せ小口に強固に装着することができ、子障子小口キャップ６が召合せ框３３の上端小口に装着されることで、召合せ框３３を形成する形材の端面を覆うことができ、掃除やメンテナンスの際に形材の切りっぱなし状態の端面（小口）に手や指等が触れるなどしておこる怪我を防ぐことができる。
【００２２】
（小口キャップによる気密構造）
図８，９を示しながら、本実施形態に用いられる小口キャップによる気密構造について説明する。
図９（ａ）に示すように、親障子２の召合せ框２４の上端に装着された親障子小口キャップ５のキャップ部５１は、召合せ框２４の上端全面をほぼ覆うとともに、当接壁部５３の吊元側当接壁部５３２は召合せ框２４の室外側壁部の上面に沿って配置され、召合せ框２４の内周面に当接して連結される上框２１の上框室外壁部２１２と見込み方向に重複する位置まで突出している。
【００２３】
そして、親障子小口キャップ５の当接壁部５３の高さは、上框２１に形成される上框室外壁部２１２の上端部と略同一高さに形成されているので、図８に示すように、上框２１の上框室外壁部２１２と親障子小口キャップ５の当接壁部５３とが高さ位置を同じくする一連の気密材当接部を構成することとなり、上框２１から召合せ框２４の上面にかけて上枠１１に配置される気密材ｓ２に対して当接する良好な気密構造を得ることができる。
【００２４】
同様に、子障子３の召合せ框３３の上端に装着された子障子小口キャップ６のキャップ部６１は、召合せ框３３の上端全面をほぼ覆うとともに、当接壁部６３の吊元側当接壁部６３２は、召合せ框３３の室外側壁部の上面に沿って配置され、召合せ框３３の内周面に当接して連結される上框３１の上框室外壁部３１２と見込み方向に重複する位置まで突出しており、上框３１の上框室外壁部３１２と子障子小口キャップ６の当接壁部６３とが高さ位置を同じくする一連の気密材当接部を構成することとなり、上框２１から召合せ框３３の上面にかけて上枠１１に配置される気密材ｓ２に対して当接する良好な気密構造を得ることができる。
【００２５】
そして、キャップ部５１の上方の面に形成された当接壁部５３の戸先側当接壁部５３１は、対向する子障子３の召合せ框３３の上端に装着された子障子小口キャップ６と近接する位置まで突出しているとともに、親障子小口キャップ５の当接壁部５３の戸先側当接壁部５３１の戸先側先端には、ヒレ片５３１ａが設けられている。ヒレ片５３１ａの先端は対向する子障子３の子障子小口キャップ６に当接させているので、図９（ｂ）に示すように、親障子２の上框室外壁部２１２から子障子３の上框室外壁部３１２に到るまで連続した当接壁部を形成することができ、召合せ框２４，３３の上方位置において室内外を連通する空間Ｓを塞ぐことができる。
【００２６】
以上のように、本実施形態の両開き窓においては、召合せ框の上端に配置される小口キャップによって、召合せ部の上部の空間を塞いでいるので、召合せ部の上部の空間を防ぐための部材を特に必要とすることなく、召合せ部における気密性を向上させることができる。
さらに、親障子の召合せ框の小口に装着される親障子小口キャップの戸先側先端部には、子障子の子障子小口キャップに向かってヒレ片を形成しているので、両開き窓の開閉の障害となることなく、親障子の上端から召合せ部を通って子障子の上端に到る当接壁部を形成することができ、気密性のさらなる向上が得られる。
【００２７】
なお、本実施形態の小口キャップは、例えば図８の小口キャップ７に示すように、召合せ框の下端の小口に装着する小口キャップとしても使用することができ、召合せ框の下端の形材の切りっぱなしを露出することなく小口キャップで覆うことができるので、特別に安全キャップを形成することなく小口面による手や指等の怪我を防止することができる。
【符号の説明】
【００２８】
１        ：枠体
１１      ：上枠
１１１    ：上枠本体部
１１２    ：室内側垂下壁部
１１３    ：気密材取付壁部
１２      ：下枠
１２１    ：下枠本体部
１２２    ：立上壁
１３      ：右縦枠
１４      ：右縦枠
２        ：親障子
２１      ：上框
２１１    ：上框本体部
２１２    ：上框室外壁部
２２      ：下框
２２１    ：下框本体部
２２２    ：下框外壁部
２３      ：左縦框
２４      ：右縦框（召合せ框）
２４２    ：召合せ片
３        ：子障子
３１      ：上框
３１１    ：上框本体部
３１２    ：上框室外壁部
３２      ：下框
３２１    ：下框本体部
３２２    ：下框外壁部
３３      ：左縦框（召合せ框）
３３２    ：召合せ受片
３４      ：右縦框
５        ：親障子小口キャップ
５１      ：カバー部
５１ａ    ：開口部
５２      ：挿入部
５３      ：当接壁部
５３１    ：戸先側当接壁部
５３１ａ  ：ヒレ片
５３２    ：吊元側当接壁部
６        ：子障子小口キャップ
ｓ１      ：気密材
ｓ２      ：気密材
【図１】
0006487833.tif 000002
【図２】
0006487833.tif 000003
【図３】
0006487833.tif 000004
【図４】
0006487833.tif 000005
【図５】
0006487833.tif 000006
【図６】
0006487833.tif 000007
【図７】
0006487833.tif 000008
【図８】
0006487833.tif 000009
【図９】
0006487833.tif 000010